(57)【要約】【課題】  手間のかかる入力が不要で、かつその入力内容を表示するための表示手段も不要な、複数ユーザが同一コンテンツを続き再生できる極めて良好な情報再生装置を提供する。【解決手段】  音声や映像の情報が記憶されている情報記録媒体５０と、前記情報記録媒体５０から記録情報を再生する再生部１０と、前記記録情報の再生を要求しているユーザが第１のユーザであるか第２のユーザであるかを分別する分別キー２０と、再生中の情報記録媒体５０の再生位置を、分別キー２０の分別状態毎にレジューム情報として保持する再生位置記録部３０と、再生位置記録部３０が保持する前記レジューム情報に従って再生を再開するように再生部１０を制御する制御部４０とを具備することを特徴とする情報再生装置。【選択図】  図１
2011065695.tif 000002
【特許請求の範囲】
【請求項１】
音声や映像の情報が記憶されている情報記録媒体と、
前記情報記録媒体から記録情報を再生する再生部と、
前記記録情報の再生を要求しているユーザが第１のユーザであるか第２のユーザであるかを分別する分別キーと、
再生中の前記情報記録媒体の再生位置を、前記分別キーの分別状態毎にレジューム情報として保持する再生位置記録部と、
前記再生位置記録部が保持する前記レジューム情報に従って再生を再開するように前記再生部を制御する制御部と
を具備することを特徴とする情報再生装置。
【請求項２】
前記分別状態毎に保持された前記レジューム情報を選択する選択キーを更に備えることを特徴とする請求項１に記載の情報再生装置。
【請求項３】
前記ユーザと、前記選択された前記レジューム情報の分別状態とが、一致する場合に前記レジューム情報を書き換えることを特徴とする請求項２に記載の情報再生装置。
【請求項４】
前記分別キーを複数備えることを特徴とする請求項１乃至３に記載の情報再生装置。
【請求項５】
複数の前記分別キーのいずれか１つのみが押下できることを特徴とする請求項４に記載の情報再生装置。
【発明の詳細な説明】
【技術分野】
【０００１】
本発明は、情報再生装置に関する。
【背景技術】
【０００２】
複数ユーザで共有メディアを共有のAV機器で利用する際に、特許文献（特開２００５−１２９０９３）に記載の情報再生装置および情報再生方法は、各ユーザが再生を一時中断した後、再生を再開する際に中断した箇所から再生できるレジューム機能を有している。このレジューム機能により、複数ユーザが同一コンテンツをユーザ毎に続き再生を実現している。
【０００３】
しかしながら、このレジューム機能を実現するためには、ユーザ情報と再生するタイトルとを特定するための情報を入力する入力手段が必要であり、更に、都度これらの情報を入力しなければならないという手間がかかる。
【０００４】
また、タイトルやユーザおよび再生位置情報も表示する必要があり、再生対象のメディアが音声だけの場合など、これらを表示する表示器が別途必要になるという問題も生じる。
【先行技術文献】
【特許文献】
【０００５】
【特許文献１】特開２００５−１２９０９３号公報
【発明の概要】
【発明が解決しようとする課題】
【０００６】
本発明は、手間のかかる入力が不要で、かつその入力内容を表示するための表示手段も不要な、複数ユーザが同一コンテンツを続き再生できる極めて良好な情報再生装置を提供することを目的とする。
【課題を解決するための手段】
【０００７】
本発明の一態様によれば、音声や映像の情報が記憶されている情報記録媒体と、前記情報記録媒体から記録情報を再生する再生部と、前記記録情報の再生を要求しているユーザが第１のユーザであるか第２のユーザであるかを分別する分別キーと、再生中の前記情報記録媒体の再生位置を、前記分別キーの分別状態毎にレジューム情報として保持する再生位置記録部と、前記再生位置記録部が保持する前記レジューム情報に従って再生を再開するように前記再生部を制御する制御部とを具備することを特徴とする情報再生装置が提供される。
【発明の効果】
【０００８】
本発明は、手間のかかる入力が不要で、かつその入力内容を表示するための表示手段も不要な、複数ユーザが同一コンテンツを続き再生できる極めて良好な情報再生装置を提供することができる。
【図面の簡単な説明】
【０００９】
【図１】本発明の第１の実施形態に係る全体構成図である。
【図２】本発明の第１の実施形態に係る動作フロー図である。
【図３】本発明の第１の実施形態に係る動作フロー図である。
【図４】本発明の第１の実施形態に係るレジューム情報の記録状態である。
【図５】本発明の第２の実施形態に係る全体構成図である。
【図６】本発明の第２の実施形態に係る動作フロー図である。
【図７】本発明の第２の実施形態に係る動作フロー図である。
【図８】本発明の第３の実施形態に係る全体構成図である。
【図９】本発明の第３の実施形態に係るレジューム情報の記録状態である。
【発明を実施するための形態】
【００１０】
以下、本発明の実施例について図面を参照して説明する。なお、図中、同一または相当部分には同一の符号を付して、その説明は繰り返さない。
【００１１】
（第１の実施形態）
以下本発明の実施形態について、図面を参照して説明する。
【００１２】
図１は本発明の第１の実施の形態に係る全体構成図である。本実施の形態に係る情報再生装置１００は、音声や映像の情報が記憶されている情報記録媒体５０から記録情報を再生する再生部１０と、再生を要求しているユーザがゲストであるか否か（ホストか）を分別するＯＮ／ＯＦＦキー２０と、再生中の情報記録媒体の再生位置を、ＯＮ／ＯＦＦキー２０の分別状態（ユーザ／ホスト）毎にレジューム情報として保持する再生位置記録部３０と、再生位置記録部３０が保持するレジューム情報に従って再生を再開するように再生部１０を制御する制御部４０とから構成される。
【００１３】
この時、例えば、ＯＮ／ＯＦＦキー２０のキーがＯＮ状態の場合は、再生要求をしているのはゲストであることを意味し、ＯＦＦ状態の場合は、再生要求をしているのはゲストではない（ホストである）ことを意味する。つまり、ＯＮ／ＯＦＦキーの状態で、ユーザがゲストかホストかの判断が可能となる。
【００１４】
以下、本情報再生装置の動作について、図２及び３のフローチャートを参照して説明する。
【００１５】
まず、図２を参照して、本情報再生装置で最初に情報記録媒体５０を再生するときの動作について説明する。ユーザが情報記録媒体５０の再生を実行すると、ステップＳ１１で情報記録媒体５０が再生される。ステップＳ１２で再生が停止されたか否かを判断し、停止されていない場合は、ステップＳ１１を繰り返す。停止された場合は、ステップＳ１３で、情報記録媒体５０を再生したユーザが、ゲストかホストかを判断する。この時、ＯＮ／ＯＦＦキーがＯＮ状態であれば、ゲストであると判断し、ステップＳ１４でレジュームのＢエリアに情報記録媒体５０の再生停止位置を記録する。一方、ＯＮ／ＯＦＦキーがＯＦＦ状態であれば、ホストであると判断し、ステップＳ１５でレジュームのＡエリアに再生停止位置を記録する。なお、上記では、ＯＮ状態をゲストとしたが、ＯＦＦ状態をゲストとしても構わない。
【００１６】
次に、図３を参照して、続き再生をする場合の動作について説明する。まず、ステップＳ２１で続き再生を要求したのがゲストかホストかを判断する。この時、ＯＮ／ＯＦＦキー２０がＯＮ状態であれば、続き再生を要求したのはゲストであると判断し、ステップＳ２２で、制御部４０はレジュームのＢエリアに記録されている再生停止位置を読み出し、ステップＳ２４で、その再生停止位置に基づき、再生部１０に再生を要求し、再生部１０はその再生停止位置から情報記録媒体５０を再生する。
【００１７】
一方、ステップＳ２１でＯＮ／ＯＦＦキー２０がＯＦＦ状態であれば、続き再生を要求したのはホストであると判断し、ステップＳ２３で、制御部４０は、レジュームのＡエリアに記録されている再生停止位置を読み出し、ステップＳ２４で、その再生位置に基づき、再生部１０に再生を要求し、再生部１０はその再生停止位置から情報記録媒体５０を再生する。
【００１８】
図４にレジューム情報の記録状態を示す。上記の通り、レジューム情報のＡエリアにはホストの再生停止位置が記録され、Ｂエリアにはゲストの再生停止位置が記録される。
【００１９】
以上により、ＯＮ／ＯＦＦキー２０を入力するという極めて簡単な操作だけで、ゲストか否かの判断が可能となり、ユーザ名を入力するための入力の手間や、それを表示するための表示手段も不要で、複数ユーザが同一コンテンツを続き再生できる極めて良好な情報再生装置を提供することが可能となる。また、ON／OFFキー２０の状態を見ることで、現在のユーザがゲストかホストかを即座に確認することができる。
【００２０】
（第２の実施形態）
以下本発明の実施の形態について、図面を参照して説明する。なお、第１の実施の形態との相違する内容についてのみ説明し、第１の実施の形態と同様の内容については説明を省略する。
【００２１】
本実施の形態が、第１の実施の形態と異なる点は、第１の実施形態では、ゲストはゲストのレジューム情報に従ってのみ続き再生を行うが、本実施の形態では、ゲストがゲストのレジューム情報に従うか、ホストのレジューム情報に従うかを選択することができる。
【００２２】
図５は、本発明の第２の実施の形態に係る構成図である。図５の構成は、第１の実施の形態に選択キー２１を追加した構成である。選択キー２１を追加することにより、ゲストのレジューム情報に従うか、ホストのレジューム情報に従うかを選択することが可能となる。
【００２３】
図６は本実施の形態の動作を説明するフローチャートである。図３のフローチャートに加え、ステップＳ３２の判断処理が追加されている。ステップＳ３２で、選択キー２１の状態に基づき、ホストのレジューム情報を利用するか否かを判断することができる。例えば、選択キー２１がＯＮ状態であれば、ホストのレジューム情報を利用し、ＯＦＦ状態であればゲストのレジューム情報を利用すると判断する。なお、選択キー２１がＯＮ状態のときにゲストのレジューム情報を利用し、ＯＦＦ状態のときにホストのレジューム情報を利用するとしても構わない。
【００２４】
その他の各ステップについては、第１の実施の形態と同様であるので説明を省略する。ステップＳ３１はステップＳ２１と同様であり、ステップＳ３３〜Ｓ３５はステップＳ２２〜Ｓ２４と夫々同様である。
【００２５】
図７に、本実施の形態におけるレジューム情報の保存動作のフローチャートを記載する。ステップS４３で、ユーザの種別を判断した後、ステップS４４でユーザの種別と選択キーの状態が一致しているか否かを判断する。一致していると判断されれば、ステップＳ４５でレジューム情報はその時の再生停止位置に書き換えられ、一致していないと判断されれば、レジューム情報は書き換えられない。
【００２６】
以上により、本実施の形態は、第１の実施の形態と同様の効果を奏するのに加え次の効果が得られる。
【００２７】
ＯＮ／ＯＦＦキー２０がホストを意味する状態（例えばＯＦＦ状態）で、ゲスト及びホストが同じ情報記録媒体５０を再生しているとき、途中で再生を停止した場合（この場合、再生停止位置はホストのレジューム情報として記録される）でも、後にゲストが同情報記録媒体５０を続き再生しようとした場合、ホストのレジューム情報を利用することができる。更に、ユーザと選択キーの状態が一致していなければ、レジューム情報は書き換えられず、前回の状態を保持するので、例えば、ゲストがホストのレジュームを利用して情報記録媒体５０を再生しても、ホストのレジュームにはなんら影響を与えない。従って、次回ホストは前回停止位置から続き再生をすることができる。
【００２８】
（第３の実施形態）
以下本発明の実施の形態について、図面を参照して説明する。なお、第１の実施の形態との相違する内容についてのみ説明し、第１の実施の形態と同様の内容については説明を省略する。
【００２９】
本実施の形態が、第１の実施の形態と異なる点は、第１の実施形態では、ユーザはゲストかホストかのどちらかであったが、本実施の形態では、ゲストを複数にすることができる点である。
【００３０】
図８に本実施の形態の構成図を示す。本実施の形態では、複数のON／OFFキー２０が設けられている。この複数のＯＮ／ＯＦＦキー２０を同時に複数押下することはできない。
【００３１】
図９に本実施の形態のレジューム情報の記録状態を記載する。図９では、ユーザが５人の場合を示すが、ユーザの人数はこの限りではない。第１の実施の形態ではレジューム情報はA、Bエリアの２つのエリアから構成されていたが、本実施の形態では、A乃至Eの５つのエリアから構成される。これにより全ユーザのレジューム情報を記録することが可能になる。
【００３２】
以上により、本実施の形態では、第１の実施の形態の効果に加え、更に、３人以上のユーザが同一の記憶媒体を再生する場合でも、各ユーザの再生停止位置を保存することができ、続き再生を行う際も、極めて簡単な操作で各ユーザに適した続き再生を行うことができる。
【００３３】
本発明の実施例は、上述の実施形態に限定されるものではなく、その要旨を逸脱しない範囲で、各構成要素を変形して具体化できる。また、上述の実施形態に開示されている複数の構成要素の適宜な組み合せにより種々の発明を構成できる。例えば、上述の実施形態に開示される全構成要素から幾つかの構成要素を削除してもよいし、異なる実施形態の構成要素を適宜組み合わせてもよい。また、ＯＮ／ＯＦＦキーはリモコンに装備されてもよい。
【符号の説明】
【００３４】
１０    再生部 
２０    ＯＮ／ＯＦＦキー
２１    選択キー
３０    再生位置記録部
４０    制御部
５０    情報記録媒体
１００  情報再生装置
【図１】
2011065695.tif 000003
【図２】
2011065695.tif 000004
【図３】
2011065695.tif 000005
【図４】
2011065695.tif 000006
【図５】
2011065695.tif 000007
【図６】
2011065695.tif 000008
【図７】
2011065695.tif 000009
【図８】
2011065695.tif 000010
【図９】
2011065695.tif 000011